(57)【要約】【課題】比較的重いピーカ装置などの支持対象物を、首振り可能に支持して、小型化することも可能にする。【解決手段】スピーカボックス３の一バッフル４の底部には、半球状の凸球面１５が一体的に形成される。凸球面１５の表面に部分的に嵌合する凹球面を有する摺接部材１６を、外殻部材１７で凸球面１５に押圧させる。摺外殻部材１７には、摺接部材１６の表面から径方向の外方に延びる連結部１６ａを通過させる溝１７ａを有し、連結部１６ａの先端は、床面などに載置可能なスタンド９に接続される。凸球面１５と摺接部材１６との間の摺動変位で、スピーカボックス３の向きを変える首振りを行わせることがでる。【選択図】      図１
2005005815.tif 000002
【特許請求の範囲】
【請求項１】
支持対象物を首振り可能に枢支する支持装置であって、
支持対象物の枢支部分に、部分的な球面が突出するように設けられる凸球面部材と、
径方向の内方に凸球面部材の球面に部分的に嵌合する凹球面が形成され、径方向の外方に凸球面が形成され、凹球面が凸球面部材の球面に沿って摺動変位可能な摺動部材と、
摺動部材を介して球面部材の球面を覆う外殻となり、摺動部材が凸球面部材の球面に沿って摺動するように案内し、摺動部材の凸球面を外部に連結可能な欠如部が設けられ、凸球面部材の凸面の周囲で、支持対象物に締結され、所定の締結力で摺動部材と凸球面部材との嵌合位置を固定可能な外殻部材と、
外殻部材の欠如部を介して摺動部材と連結し、摺動部材および凸球面部材を介して支持対象物を支持する支持部材とを含むことを特徴とする支持装置。
【請求項２】
前記支持部材は、
前記摺動部材と連結する連結部と、
連結部から予め定める軸線方向に沿って離れるに従い、該軸線から径方向に離れるように傾斜する複数の脚部とを有し、
各脚部の先端は、該軸線に垂直な平面に同時に載置可能な底部と、
該底部付近で、該軸線に平行となる方向に設けられる貫通孔とを有することを特徴とする請求項１記載の支持装置。
【請求項３】
前記凸球面部材は、前記支持対象物の少なくとも一部と一体的に形成されることを特徴とする請求項１または２記載の支持装置。
【請求項４】
前記外殻部材の欠如部は、前記凸球面部材の球面に沿って延びる形状を有し、
該凸球面部材は、該欠如部から離れる位置に、該欠如部に平行な溝を有することを特徴とする請求項１〜３のいずれかに記載の支持装置。
【請求項５】
前記支持対象物は、スピーカ装置であることを特徴とする請求項１〜４のいずれかに記載の支持装置。
【発明の詳細な説明】
【０００１】
【発明の属する技術分野】
本発明は、スピーカ装置などを床面などから浮かして支持し、かつ向きを変更可能にする支持装置に関する。
【０００２】
【従来の技術】
従来から、オーディオ再生では、広い周波数帯域で高音質の音響再生が可能なスピーカ装置が要望されている。低音用には、大口径のスピーカを、大容積のスピーカボックスに装着し、高音用には小口径のスピーカを低音用とは別に設けることが多い。本件出願人は、比較的小容積のスピーカボックスを前半と後半とに分割可能とし、前半部分に開口部を設けて、比較的小口径でフルレンジのスピーカユニットの音響放射部を緩衝材を介して接続し、スピーカユニットをスピーカボックス内部で支持するスピーカシステムを開示している（たとえば、特許文献１参照）。スピーカユニットは、スピーカボックスの前半と後半との接続部からスピーカボックス内部に先端が挿入されるスタンドで直接支持され、スピーカユニットの駆動部などに生じる振動が、スピーカボックスには伝わりにくくされている。
【０００３】
特許文献１で開示しているようなスピーカシステムでは、スピーカボックスの外部のスタンドの先端をスピーカボックス内部まで挿入し、スピーカユニットを支持している。スタンドをスピーカボックス内部に挿入する部分では、緩衝材などを用いて、スピーカボックス内部の音響出力が外部に漏れないようにしているので、スタンドに対してスピーカボックスの首振りなどを行わせることができない。高音側を再生するときには、スピーカから放射される音響出力の指向性が強い。スピーカシステムを左右など空間的に離れた位置に置いて、ステレオ再生を行うようなときには、スピーカシステムを聴取者の位置に向けることが好ましい。
【０００４】
図１０は、首振りを可能にする支持構造５０を概略的に示す。支持対象物５１に球体５２を装着し、その一部から径方向の外方に延びる軸５３が貫通する溝を有する外殻部材５４で球体５２を覆い、ボルト５５で固定する。ボルト５５を少し緩めた状態で、支持構造５０では、軸５３まわりの角変位と、溝に沿っての軸５３の揺動変位とが可能となる。軸５３が所望の向きになると、ボルト５５を締めて、軸５３の向きを固定することができる。
【０００５】
【特許文献１】
特開２００１−２８５９７４号公報（図１）
【０００６】
【発明が解決しようとする課題】
図１０に示すような支持構造５０をスピーカシステムに使用すると、球体５２の半分程度を支持対象物５１となるスピーカボックス側で収納する必要がある。スピーカシステムは比較的小型でも重量があるので、球体５２の径はある程度大きくしなければならない。球体５２が大きくなると、その半分を収納するために、スピーカボックスの容積が減少してしまう。
【０００７】
図１１は、スピーカボックスの容積の減少を避けるために、球体５２の大部分を支持対象物５１の外部に出す状態を示す。しかしながら、球体５２と支持対象物５１との接触面積が減り、不安定になりやすい。また、球体５２の大部分が指示対象物５１の外部に出るので、支持構造の高さｈが大きくなってしまう。
【０００８】
本発明の目的は、比較的重いスピーカ装置などの支持対象物を、首振り可能に支持して、小型化することも可能な支持装置を提供することである。
【０００９】
【課題を解決するための手段】
本発明は、支持対象物を首振り可能に枢支する支持装置であって、
支持対象物の枢支部分に、部分的な球面が突出するように設けられる凸球面部材と、
径方向の内方に凸球面部材の球面に部分的に嵌合する凹球面が形成され、径方向の外方に凸球面が形成され、凹球面が凸球面部材の球面に沿って摺動変位可能な摺動部材と、
摺動部材を介して球面部材の球面を覆う外殻となり、摺動部材が凸球面部材の球面に沿って摺動するように案内し、摺動部材の凸球面を外部に連結可能な欠如部が設けられ、凸球面部材の凸面の周囲で、支持対象物に締結され、所定の締結力で摺動部材と凸球面部材との嵌合位置を固定可能な外殻部材と、
外殻部材の欠如部を介して摺動部材と連結し、摺動部材および凸球面部材を介して支持対象物を支持する支持部材とを含むことを特徴とする支持装置である。
【００１０】
本発明に従えば、支持対象物を首振り可能に枢支する支持装置は、凸球面部材と、摺動部材と、外殻部材と、支持部材とを含む。凸球面部材は、支持対象物の枢支部分に、部分的な球面が突出するように設けられ、その球面に沿って、摺動部材が摺動変位可能である。摺動部材は、径方向の内方に凸球面部材の球面に部分的に嵌合する凹球面が形成され、径方向の外方に凸球面が形成される。外殻部材は、摺動部材を介して球面部材の球面を覆う外殻となり、摺動部材が凸球面部材の球面に沿って摺動するように案内し、摺動部材の凸球面を外部に連結可能な欠如部が設けられる。支持部材は、外殻部材の欠如部を介して摺動部材と連結し、摺動部材および凸球面部材を介して支持対象物を支持する。外殻部材には欠如部が設けられているので、欠如部を介して支持部材と連結する摺動部材が凸球面部材の球面に沿って摺動変位すると、支持部材と支持対象物とのなす角度を変化させる揺動変位が可能となる。支持部材と摺動部材とを連結する部分では、軸線まわりの角変位も可能であり、揺動変位と角変位とで、支持部材に対する支持対象物の首振りを可能とする枢支構造を実現することができる。支持対象物には、部分的な球面が突出する凸球面部材を設ければよいので、支持対象物の容積を減少させることはなく、また外部への突出量も小さくして、枢支に要する形状の小型化を図ることができる。
【００１１】
また本発明で、前記支持部材は、
前記摺動部材と連結する連結部と、
連結部から予め定める軸線方向に沿って離れるに従い、該軸線から径方向に離れるように傾斜する複数の脚部とを有し、
各脚部の先端は、該軸線に垂直な平面に同時に載置可能な底部と、
該底部付近で、該軸線に平行となる方向に設けられる貫通孔とを有することを特徴とする。
【００１２】
本発明に従えば、支持部材は、複数の脚部の底部を床面に載置すれば、軸線が床面と垂直となり、連結部で支持対象物を床面から浮かして支持することができる。脚部の底部付近には、軸線に平行となる方向に貫通孔が設けられているので、貫通孔にボルトなどを挿通させて、脚部を固定することもできる。さらに、貫通孔を利用して脚部を固定することができるので、天井や側壁などに脚部の底部を固定して、支持対象物を支持することもできる。
【００１３】
また本発明で、前記凸球面部材は、前記支持対象物の少なくとも一部と一体的に形成されることを特徴とする。
【００１４】
本発明に従えば、凸球面部材を支持対象物の少なくとも一部と一体的に形成するので、部品点数を減少させ、枢支部分の組立てを容易にすることができる。
【００１５】
また本発明で、前記外殻部材の欠如部は、前記凸球面部材の球面に沿って延びる形状を有し、
該凸球面部材は、該欠如部から離れる位置に、該欠如部に平行な溝を有することを特徴とする。
【００１６】
本発明に従えば、外殻部材の欠如部は、凸球面部材の球面に沿って延びる形状を有するので、摺動部材と支持部材との連結部がこの欠如部に沿って変位すると、支持部材は支持対象物に対して揺動変位することができ、連結部の軸線まわりの角変位も可能になる。凸球面部材は、欠如部に平行な溝が欠如部から離れる位置に有するので、支持部材が支持対象物に対して揺動変位しても、溝が摺動部分の滑らかさを損わないようにすることができる。凸球面部材に溝を設けることによって、凸球面部材を合成樹脂材料の成形や、金属材料の鋳造などで形成する際に、ヒケを防止することができ、摺動面を円滑化することができる。
【００１７】
また本発明で、前記支持対象物は、スピーカ装置であることを特徴とする。
本発明に従えば、スピーカ装置の向きを、比較的小型の枢支機構で容易に変えることができ、スピーカボックスの内容積の減少を避けることもできる。
【００１８】
【発明の実施の形態】
図１は、本発明の実施の一形態である支持装置を、スピーカ装置１に使用する場合の概略的な側断面構成を示す。スピーカ装置１で電気音響変換を行うスピーカユニット２は、大略的に卵型のスピーカボックス３内に収納される。スピーカボックス３は、接合部３ａの前後で、前半部分であるバッフル４と後半部分であるボックス５とに分割可能である。バッフル４には、開口部４ａが設けられる。スピーカボックス３内部の空間でスピーカユニット２の駆動部６を支持し、スピーカユニットの音響放射部７をスピーカボックス３のバッフル４の開口部４ａにフェルトやゴムなどの緩衝材８を介して接続する。支持装置であるスタンド９は、スピーカボックス３の底部に枢支機構を備え、スピーカボックス３の首振りを可能にする。
【００１９】
スピーカボックス３内で、スピーカユニット２の駆動部６の背面側には、錘り１０が連結される。錘り１０は、仮想的に音響振動に対する接地として作用しうる質量を有する本体部１１と、複数の支持部１２ｂとを備える。本体部１１の質量は、スピーカユニット２と同程度となり、グランドアンカーとして機能する。支持部１２ｂは、スピーカボックス３のバッフル４とボックス５との接続部３ａに向って本体部１１から放射状に延びる形状を有する。スピーカボックス３のバッフル４とボックス５との接続部３ａでは、錘り１０の支持部１２を、フェルトなどの緩衝材１３で挟み、ボルト１４などの固定部材でそれぞれ固定する。スピーカボックス３は、たとえば発泡ポリプロピレン（ＰＰ）などの合成樹脂材料を成形して形成する。
【００２０】
スピーカボックス３の一方、たとえばバッフル４の底部には、半球状の凸球面１５が一体的に形成される。凸球面１５の表面に部分的に嵌合する凹球面を有し、凸球面１５に摺接して変位可能な摺接部材１６を、外殻部材１７で凸球面１５に押圧させる。摺接部材１６は、鉄などの金属材料で形成する。アルミニウム材料などをダイキャストして形成される外殻部材１７には、摺接部材１６の表面から径方向の外方に延びる連結部１６ａを通過させる溝１７ａが欠如部として形成される。連結部１６ａの先端は、床面などに載置可能なスタンド９に接続される。スタンド９の底部を床面などに載置すれば、外殻部材１７によって覆われる凸球面１５と摺接部材１６との間の摺動変位で、スピーカボックス３の向きを変える首振りを行わせることができ、凸球面１５、摺接部材１６および外殻部材１７で枢支機構１８を構成している。枢支機構１８では、外殻部材１７をボルト１８ａで締付けることによって、スタンド９に対するスピーカボックス３の首振り角度を固定することができる。
【００２１】
本実施形態のスタンド９は、支持対象物であるスピーカ装置１を首振り可能に枢支する支持装置であって、スピーカ装置１の枢支部分であるスピーカボックス３の一部に、部分的な球面が突出するように設けられる凸球面部材としての凸球面１５と、摺動部材１６と、外殻部材１７と、脚部３０とを含む。摺動部材１６には、径方向の内方に凸球面１５に部分的に嵌合する凹球面が形成され、径方向の外方に凸球面が形成され、凹球面が凸球面部材の球面に沿って摺動変位可能である。外殻部材１７は、摺動部材１６を介して凸球面１５を覆う外殻となり、摺動部材１６が凸球面１５に沿って摺動するように案内し、摺動部材１６の凸球面を外部に連結可能な欠如部である溝１７ａが設けられる。脚部３０は、外殻部材１７の溝１７ａを介して摺動部材１７と連結し、摺動部材１６および凸球面１５を介してスピーカ装置１を支持する支持部材である。
【００２２】
凸球面１５は、支持対象物としてのスピーカ装置１の少なくとも一部であるスピーカボックス３のバッフル４と一体的に形成されている。別部材として凸球面部材を用いることもできるけれども、凸球面１５としてスピーカボックス３の少なくとも一部と一体的に形成するので、部品点数を減少させ、枢支機構１８の組立てを容易にすることができる。凸球面１５は、スピーカボックス３の後半部分であるボックス５側に形成することもできる。バッフル４とボックス５との両方で凸球面１５を形成すると、段差が生じて、摺動部材１６の円滑な摺動変位を損ねるおそれがあるので、バッフル４あるいはボックス５の一方と一体的に形成するのはスムーズな首振り動作には有利となる。
【００２３】
支持部材としての脚部３０は、外殻部材１７の溝１７ａを介して摺動部材１６と連結し、摺動部材１６および凸球面１５を介してスピーカ装置１を支持する。外殻部材１７には溝１７ａが設けられているので、溝１７ａを介して脚部３０と連結する摺動部材１６が凸球面１５に沿って摺動変位すると、脚部３０とスピーカ装置１とのなす角度を変化させる揺動変位が可能となる。脚部３０と摺動部材１６とを連結する連結部１６ａでは、軸線まわりの角変位も可能であり、揺動変位と角変位とで、スタンド９に対するスピーカ装置１の首振りを可能とする枢支機構１８を実現することができる。スピーカ装置１には、部分的な球面が突出する凸球面１５を設ければよいので、スピーカボックス３の容積を減少させることはなく、また外部への突出量も小さくして、枢支に要する形状の小型化を図ることができる。脚部３０は、スタンド９の軸線９ａに垂直な平面に同時に接触可能な底部を有している。
【００２４】
スピーカボックス３のバッフル４の開口部４ａには、ネット１９が着脱可能であり、ネット１９を装着すれば、スピーカユニット２の音響放射部７の振動板などを指先で触れることができないように保護することができる。ネット１９は、開口部４ａの周囲に設ける環状の溝４ｂに、ゴムリング２０とともに挿入して固定され、ゴムリング２０を外してネット１９も除去することができる。スピーカボックス３の背面側には、穴２１が設けられ、スピーカユニット２を電気的に駆動するための端子２２が取付けられている。
【００２５】
錘り１０の支持部１２の先端には、ボルト１４を挿通させるための貫通孔２３が形成される。貫通孔２３の内径は、ボルト１４のねじ部の外径より大きく、支持部１２とボルト１４とは直接接触しない。後述するように、複数の支持部１２は、形状が異なるように形成されている。錘り１０には、取付ける向きを示すＴＯＰ表示２４が施されている。なお、スピーカボックス３の背面側には、バスレフポート２５を設けることもでき、スピーカボックス３をバスレフ型のキャビネットとして動作させることができる。バスレフポート２５の周囲は、吸音材２６で覆われる場合もある。スピーカボックス３にバスレフポート２５を設けないで、密閉型のキャビネットとすることもできる。スピーカボックス３内部にも、吸音材などを入れておくこともできる。
【００２６】
図２、図３、図４および図５は、図１のスピーカ装置１を、側面視、正面視、背面視、および平面視してそれぞれ示す。図１は、図３の切断面線Ｉ−Ｉから見た断面図に相当する。スピーカボックス３内に収容するスピーカユニット２の音響放射部７の口径が、たとえば７０ｍｍ程度である場合を想定する。スピーカボックス３の頂部からスタンド９の底部までの高さＨは１６０ｍｍ程度となり、ネット１９を含めたスピーカボックス３の奥行Ｄも１６０ｍｍ程度となり、スピーカボックス３の幅Ｗは１２０ｍｍ程度となる。錘り１０の支持部１２の先端を固定するボルト１４は、スピーカユニット３のボックス５からバッフル４との接続部分付近まで形成している穴２１の奥に挿入し、バッフル４に設ける穴を雌ねじとして利用して締結を行う。スピーカボックス３のボックス５の背面側には、スピーカユニット２に対する電気的な接続を行うための端子２２も設けられる。
【００２７】
以上のように、スピーカ装置１では、前半と後半とに分割可能なスピーカボックス３内でスピーカユニット２の駆動部６を支持し、スピーカユニット２の音響放射部７をスピーカボックス３の前半部分であるバッフル４の開口部４ａに緩衝材８を介して接続する。スピーカユニット２が周囲の空気に音響出力を伝播させる反力で生じるスピーカユニット２自体の振動は、緩衝材８によって減衰され、スピーカボックス３に伝わりにくい。スピーカボックス３の内部で、スピーカユニット２の駆動部６は、錘り１０の本体部１１に連結される。錘り１０の本体部１１は、仮想的に音響振動に対する接地として作用しうる大きな質量を有するので、スピーカユニット２の音響放射部７が音響出力を伝播する空気に比較して音響インピーダンスが充分に高くなり、空気への音響出力の放射に伴う反力を受けても、ほとんど振動しない。
【００２８】
錘り１０の本体部１１からは、放射状に延びる形状を有する複数の支持部１２がスピーカボックス３のバッフル４と後半部分であるボックス５との接続部３ａに向って延び、ボルト１４がスピーカボックス３の接続部３ａで、錘り１０の支持部１２をそれぞれ固定するので、スピーカボックス３内部で錘り１０を支持することができる。錘り１０の本体部１１にはスピーカユニット２の駆動部６が連結され、仮想的な接地として作用する錘り１０の本体部１１によって、スピーカユニット２の駆動部６を、振動が伝わらないようにスピーカボックス３の内部で支持することができる。スピーカボックス３を音響再生を行う部屋の床面や壁面などから離すためにスタンド９などを用いるときであっても、スタンド９をスピーカボックス３内部に挿入してスピーカユニット２を直接支持する必要はなく、スタンド９とスピーカボックス３との間を枢支機構１８で枢支して、首振りなどを行わせることもできる。
【００２９】
図６は、図１のスピーカ装置１に使用する錘り１０を、正面視して示す。錘り１０は、たとえば亜鉛を材料とするダイキャスト成形で形成され、大質量を有する本体部１１と、複数、たとえば３つの支持部１２ａ，１２ｂ，１２ｃとを有する。本体部１１は、大略的に円錐台形状であり、底面側の中央に、軸線に沿って突出するボス１１ａを有する。ボス１１ａは、図１に示すように、スピーカユニット２の駆動部６に連結される。底面側の外周部からは、径方向の外方に３つの支持部１２ａ，１２ｂ，１２ｃがそれぞれ突出し、各支持部１２ａ，１２ｂ，１２ｃの中心線１０ａ，１０ｂ，１０ｃは、本体部１１の底面を周方向に３等分するように配置される。３つの支持部１２ａ，１２ｂ，１２ｃは、本体部１１の底面から径方向に突出する部分の幅Ｗａ，Ｗｂ，Ｗｃがそれぞれ異なるように形成される。
【００３０】
支持部１２ａ，１２ｂ，１２ｃの先端には、図１に示すように、固定部材であるボルト１４を挿通して固定するための貫通孔２３が設けられる。貫通孔２３およびその周囲の形状は、３つの支持部１２ａ，１２ｂ，１２ｃで共通であり、各支持部１２ａ，１２ｂ，１２ｃが本体部１１の底面から突出する部分の幅Ｗａ，Ｗｂ，Ｗｃのみが異なる。貫通孔２３の中心は、本体部１１の中心から半径で約４５ｍｍの円周上に位置する。複数の支持部１２ａ，１２ｂ，１２ｃの形状が同一であると、同一の周波数で共振が生じ、余分な共振としてスピーカとしての再生音の音質を損うおそれがある。
【００３１】
スピーカ装置１に使用する錘り１０では、複数の支持部１２ａ，１２ｂ，１２ｃの共振周波数を異ならせるために、形状を異ならせている。錘り１０の複数の支持部１２ａ，１２ｂ，１２ｃがそれぞれ異なる形状となるので、支持部１２ａ，１２ｂ，１２ｃが共振する振動の周波数がずれ、特定の周波数で振動が増大しないようにすることができる。支持部１２ａ，１２ｂ，１２ｃの形状の違いに関連する表示として、たとえばスピーカボックス３の頂部付近で固定すべき支持部１２ａにＴＯＰ表示２４を備えるので、形状の違いが視認しにくい程度であっても、スピーカボックス３内での錘り１０の固定方向を、スピーカ装置１としての組立作業時などに、間違えないようにすることができる。たとえば一対のスピーカ装置を左右に配置して２チャネルステレオ再生を行うような場合に、左右でスピーカ装置内の錘りの向きが異ならないようにすることができる。
【００３２】
図６に示すように、錘り１０の複数の支持部１２ａ，１２ｂ，１２ｃは、本体部１１の外周から周方向に等間隔で延出するように形成される。各支持部１２ａ，１２ｂ，１２ｃは、スピーカボックス３の接続部分でボルト１４によって固定される部分が同一形状であり、本体部１１から延出する部分の幅Ｗａ，Ｗｂ，Ｗｃがそれぞれ異なる。この幅は、成形寸法のばらつきよりも大きい値、たとえば０．５ｍｍずつ異ならせ、支持部１２ａの幅Ｗａは７．４ｍｍ、支持部１２ｂの幅Ｗｂは６．９ｍｍ、支持部１２ｃの幅Ｗｃは６．４ｍｍとすることができる。異なる程度は、数％〜１０数％とする。支持部１２ａ，１２ｂ，１２ｃとしては、重い本体部１１を支える強度が必要であり、強度が不足するほど細くすることはできない。また、太くすれば、スピーカボックス３内の空間の体積が減るので、太くしすぎるのも好ましくない。錘り１０の本体部１１から複数の支持部１２ａ，１２ｂ，１２ｃを、周方向には等間隔でほぼ同一形状で延出させ、本体部１１から延出する部分の形状を異ならせて、共振周波数をずらすことができる。支持部１２ａ，１２ｂ，１２ｃの先端でスピーカボックス３の前半部分であるバッフル４と後半部分であるボックス５との接続部で、ボルト１４によって固定する部分は、同一形状とすることができるので、ボルト１４には同一規格のものを使用することができる。
【００３３】
図７は、スタンド９を平面視した構成を示す。スタンド３の脚部３０は、安定するように、３つの脚３１，３２，３３を有する。各脚３１，３２，３３は、先端の底部３４，３５，３６が二等辺三角形を形成するように配置される。すなわち２つの脚３１，３２は同一の長さを有し、他の脚３３は長さが短い。これはデザイン上の配慮であり、摺動部材１６の連結部１６ａでは軸線まわりの角変位が可能なので、底部３４，３５，３６で形成する二等辺三角形の向きはどのように向けることも可能である。底部３４，３５，３６が正三角形を形成するように、３つの脚３１，３２，３３を同一長さとすることもできる。また、脚３１，３２，３３の長さを全て異ならせることも可能である。底部３４，３５，３６の付近には、貫通孔３７，３８，３９がそれぞれ設けられている。
【００３４】
図８は、脚３１，３２，３３に設けられる貫通孔３７，３８，３９を使用して、スタンド９を天井に取付けている状態を示す。貫通孔３７，３８，３９にボルト４０などを挿通させれば、天井や側壁などに容易にスタンド９を固定することができる。スタンド９を床面に固定することもできる。ただし、スタンド９を、亜鉛ダイキャストなどで形成すれば、自重があり、スピーカ装置１の重量が大きいので、床面に載置するだけでもスピーカ装置１の使用には差支えはない。天井や側壁への固定は、ボルト４０などを使用して、確実に行う必要がある。
【００３５】
スタンド９は、摺動部材１６と連結する連結部４１と、連結部４１から予め定める軸線９ａ方向に沿って離れるに従い、軸線９ａから径方向に離れるように傾斜する複数の脚３１，３２，３３を有する脚部３０とを含む。各脚３１，３２，３３の先端は、軸線９ａに垂直な平面に同時に載置可能な底部３４，３５，３６と、底部３４，３５，３６付近で、軸線９ａに平行となる方向に設けられる貫通孔３７，３８，３９とを有する。スタンド９の脚部３０は、複数の脚３１，３２，３３の底部３４，３５，３６を床面に載置すれば、軸線９ａが床面と垂直となり、連結部４１でスピーカ装置１などの支持対象物を床面から浮かして支持することができる。脚部３０の底部３４，３５，３６付近には、軸線９ａに平行となる方向に貫通孔３７，３８，３９が設けられているので、貫通孔３７，３８，３９にボルト４０などを挿通させて、脚部３０を固定することもできる。さらに、貫通孔３７，３８，３９を利用して脚部３０を固定することができるので、天井や側壁などに固定して、支持対象物を支持することもできる。
【００３６】
図９は、本実施形態の枢支機構１８の断面構成を示す。前述のように、凸球面１５は、バッフル４と一体的に成形するので、外殻部材１７の溝１７ａと平行な溝１５ａ，１５ｂを、溝１７ａの位置から離れた位置に形成しておく。外殻部材１７の溝１７ａは、凸球面１５に沿って延びる形状を有するので、摺動部材１７とスタンド９の連結部１６ａがこの溝１７ａに沿って変位すると、スタンド９は支持対象物に対して揺動変位することができ、連結部１６ａの軸線まわりの角変位も可能になる。凸球面１５は、溝１７ａに平行な溝１５ａ，１５ｂを溝１７ａから離れる位置に有するので、スタンド９が支持対象物に対して揺動変位しても、溝１５ａ，１５ｂが摺動部分の滑らかさを損わないようにすることができる。凸球面１５に溝１５ａ，１５ｂを設けることによって、凸球面１５を合成樹脂材料の成形や、金属材料の鋳造などで形成する際に、ヒケを防止することができ、摺動面を円滑化することができる。
【００３７】
また本実施形態では、支持対象物として、スピーカ装置１を用いる場合を説明しているけれども、スピーカ装置１に限らずに本発明を適用することができる。たとえば、照明装置、空調装置、映像装置などの各種機器の支持や、単なるテーブルの支持などにも本発明を同様に適用することができる。
【００３８】
【発明の効果】
以上のように本発明によれば、支持対象物の枢支部分に、部分的な球面が突出するように設けられる凸球面部材の球面に沿って、摺動部材を摺動変位させ、外殻部材の欠如部を介して摺動部材と連結する支持部材に、揺動変位と角変位とを可能にして、支持部材に対する支持対象物の首振りを行わせることができる。支持対象物には、部分的な球面が突出する凸球面部材を設ければよいので、支持対象物の容積を減少させることはなく、また外部への突出量も小さくして、枢支に要する形状の小型化を図ることができる。
【００３９】
また本発明によれば、支持部材の脚部の底部付近に設けられる貫通孔を利用して脚部を固定することができるので、天井や側壁などに脚部の底部を固定して、支持対象物を支持することもできる。
【００４０】
また本発明によれば、凸球面部材を支持対象物の少なくとも一部と一体的に形成するので、部品点数を減少させ、枢支部分の組立てを容易にすることができる。
【００４１】
また本発明によれば、凸球面部材に溝を設けることによって、凸球面部材を合成樹脂材料の成形や、金属材料の鋳造などで形成する際に、ヒケを防止することができ、摺動面を円滑化することができる。
【００４２】
また本発明によれば、スピーカ装置の向きを、比較的小型の枢支機構で容易に変えることができ、スピーカボックスの内容積の減少を避けることもできる。
【図面の簡単な説明】
【図１】本発明の実施の一形態であるスピーカ装置１の概略的な構成を示す側面断面図である。
【図２】図１のスピーカ装置１の側面図である。
【図３】図１のスピーカ装置１の正面図である。
【図４】図１のスピーカ装置１の背面図である。
【図５】図１のスピーカ装置１の平面図である。
【図６】図１の錘り１０の正面図である。
【図７】図１のスタンド９の平面図である。
【図８】図１のスピーカ装置１を天井に取付ける状態を示す側面図である。
【図９】図１の枢支機構１８の正面断面図である。
【図１０】従来からの首振り可能な支持装置の部分的な断面図である。
【図１１】従来からの首振り可能な支持装置の部分的な断面図である。
【符号の説明】
１  スピーカ装置
２  スピーカユニット
３  スピーカボックス
３ａ  接続部
４  バッフル
５  ボックス
６  駆動部
７  音響放射部
８，１３  緩衝材
９  スタンド
９ａ  軸線
１０  錘り
１１  本体部
１２，１２ａ，１２ｂ，１２ｃ  支持部
１４  ボルト
１６ａ，４１  連結部
１８  枢支機構
１４，１８ａ，４０  ボルト
３０  脚部
３１，３２，３３  脚
３４，３５，３６  底部
３７，３８，３９  貫通孔
【図１】
2005005815.tif 000003
【図２】
2005005815.tif 000004
【図３】
2005005815.tif 000005
【図４】
2005005815.tif 000006
【図５】
2005005815.tif 000007
【図６】
2005005815.tif 000008
【図７】
2005005815.tif 000009
【図８】
2005005815.tif 000010
【図９】
2005005815.tif 000011
【図１０】
2005005815.tif 000012
【図１１】
2005005815.tif 000013